(57)【要約】【課題】グラフ表示装置において、リストデータの各数値データに基づいてスキャッタプロットグラフを表示した場合に、そのプロットグラフの元となっているリストデータの各数値データとの相互関係を視覚的に容易に把握可能とする。【解決手段】ユーザがリストデータを入力した際にそのリストデータの各数値データに任意の色を指定しておくことでその指定の色に従ったプロットグラフがカラー表示される。この際、基準選択メニュー24で“X”が選択された場合は<リスト１>の各数値データの指定色を基準に各プロット点がカラー表示され、“Y”が選択された場合は<リスト２>の各数値データの指定色を基準に各プロット点がカラー表示され、“X&Y”が選択された場合<リスト１><リスト２>の各対応する数値データの指定色が同色であるプロット点はその色で、異なる色であるプロット点は枠状プロット点などの特殊態様にしてカラー表示される。【選択図】      図８
2011248779.tif 000002
【特許請求の範囲】
【請求項１】
ユーザ操作によって複数の数値データからなるリストデータを入力し、そのリストデータの各数値データに任意の色を指定するリスト入力手段と、
このリスト入力手段によって入力されたリストデータを前記各数値データに指定された色の情報と関連付けて記憶するリスト記憶手段と、
このリスト記憶手段により記憶されたリストデータを前記各数値データに指定された色の情報に従い当該各数値データに色を付けてカラー表示するリスト表示手段と、
前記リスト記憶手段により記憶された２組のリストデータに基づいて、一方のリストデータの数値データをＸ値、他方のリストデータの数値データをＹ値とした点をプロットしたプロットグラフを生成する際に、表示色の基準をユーザ操作に応じて一方のリストデータまたは他方のリストデータまたは両方のリストデータに選択する基準選択手段と、
この基準選択手段により選択されたリストデータの数値データに指定された色に基づいて前記点をプロットしてプロットグラフを生成するグラフ生成手段と、
このグラフ生成手段により生成されたプロットグラフの各点をカラー表示するグラフ表示手段と、
を備えたことを特徴とするグラフ表示装置。
【請求項２】
前記グラフ生成手段は、前記基準選択手段により表示色の基準が一方のリストデータに選択された場合は、同一方のリストデータの数値データに指定された色で前記点をプロットし、他方のリストデータに選択された場合は、同他方のリストデータの数値データに指定された色で前記点をプロットし、両方のリストデータに選択された場合は、同両方のリストデータの数値データに指定された色が同じ色であればその色で前記点をプロットし、異なる色であれば特殊態様で前記点をプロットすることを特徴とする請求項１に記載のグラフ表示装置。
【請求項３】
前記グラフ表示手段によって表示されたプロットグラフの色を変更する第１の色変更手段と、
この第１の色変更手段によって変更された色を、前記基準選択手段により表示色の基準が一方のリストデータに選択されている場合は、前記リスト記憶手段により記憶された当該プロットグラフに対応した一方のリストデータに反映させ、他方のリストデータに選択されている場合は、同他方のリストデータに反映させ、両方のリストデータに選択されている場合は、同両方のリストデータに反映させて、各数値データに指定された色を同様に変更する第２の色変更手段と、
を備えたことを特徴とする請求項１または請求項２に記載のグラフ表示装置。
【請求項４】
前記第１の色変更手段によって前記プロットグラフの各プロット点の色が変更された場合に、前記第２の色変更手段によって前記リストデータの中の該当する数値データの色も同様に変更されることを特徴とする請求項３に記載のグラフ表示装置。
【請求項５】
前記特殊態様のプロッ点は、枠状プロット点であることを特徴とする請求項２に記載のグラフ表示装置。
【請求項６】
カラー表示可能な表示部を有する電子機器のコンピュータを制御するためのプログラムであって、
前記コンピュータを、
ユーザ操作によって複数の数値データからなるリストデータを入力し、そのリストデータの各数値データに任意の色を指定するリスト入力手段、
このリスト入力手段によって入力されたリストデータを前記各数値データに指定された色の情報と関連付けてメモリに記憶するリスト記憶手段、
このリスト記憶手段により記憶されたリストデータを前記各数値データに指定された色の情報に従い当該各数値データに色を付けて前記表示部にカラー表示させるリスト表示手段、
前記リスト記憶手段により記憶された２組のリストデータに基づいて、一方のリストデータの数値データをＸ値、他方のリストデータの数値データをＹ値とした点をプロットしたプロットグラフを生成する際に、表示色の基準をユーザ操作に応じて一方のリストデータまたは他方のリストデータまたは両方のリストデータに選択する基準選択手段、
この基準選択手段により選択されたリストデータの数値データに指定された色に基づいて前記点をプロットしてプロットグラフを生成するグラフ生成手段、
このグラフ生成手段により生成されたプロットグラフの各点を前記表示部にカラー表示させるグラフ表示手段、
として機能させるためのプログラム。
【発明の詳細な説明】
【技術分野】
【０００１】
本発明は、複数の数値データからなるリストデータに基づいてプロットグラフを表示する機能を備えたグラフ表示装置およびプログラムに関する。
【背景技術】
【０００２】
関数計算機能を備えた電子計算機（関数電卓）では、統計計算モードを設定してリストデータ（統計データ）を入力すると、その入力されたリストデータに対応するグラフを描画する機能がある。ここで扱われる情報としては、「リストデータを構成する各数値データ」と「グラフデータ」であるが、データの種類が異なるため、対応関係を対比するには難しい。
【０００３】
ここで、電卓の視覚的な表現力を向上させるために、表示のカラー化が考えられている。例えば、特許文献１では、回帰グラフと入力データとの誤差をカラー表示している。また、特許文献２では、回帰グラフ別に表示色を変えてカラー表示している。
【先行技術文献】
【特許文献】
【０００４】
【特許文献１】特開平１１−１８４８１９号公報
【特許文献２】特開平１０−１２４６９０号公報
【発明の概要】
【発明が解決しようとする課題】
【０００５】
しかしながら、前記特許文献１，２では、グラフの表示をカラー化しただけであって、そのグラフの元となっているリストデータの各数値データとの相互関係を視覚的に対比するには十分ではない。
【０００６】
本発明は、このような課題に鑑みなされたもので、リストデータの各数値データに基づいてプロットグラフを描画した場合に、そのプロットグラフの元となっているリストデータの各数値データとの相互関係を視覚的に容易に把握することが可能になるグラフ表示装置およびプログラムを提供することを目的とする。
【課題を解決するための手段】
【０００７】
請求項１に記載のグラフ表示装置は、ユーザ操作によって複数の数値データからなるリストデータを入力し、そのリストデータの各数値データに任意の色を指定するリスト入力手段と、このリスト入力手段によって入力されたリストデータを前記各数値データに指定された色の情報と関連付けて記憶するリスト記憶手段と、このリスト記憶手段により記憶されたリストデータを前記各数値データに指定された色の情報に従い当該各数値データに色を付けてカラー表示するリスト表示手段と、前記リスト記憶手段により記憶された２組のリストデータに基づいて、一方のリストデータの数値データをＸ値、他方のリストデータの数値データをＹ値とした点をプロットしたプロットグラフを生成する際に、表示色の基準をユーザ操作に応じて一方のリストデータまたは他方のリストデータまたは両方のリストデータに選択する基準選択手段と、この基準選択手段により選択されたリストデータの数値データに指定された色に基づいて前記点をプロットしてプロットグラフを生成するグラフ生成手段と、このグラフ生成手段により生成されたプロットグラフの各点をカラー表示するグラフ表示手段と、を備えたことを特徴としている。
【０００８】
請求項２に記載のグラフ表示装置は、前記請求項１に記載のグラフ表示装置において、前記グラフ生成手段は、前記基準選択手段により表示色の基準が一方のリストデータに選択された場合は、同一方のリストデータの数値データに指定された色で前記点をプロットし、他方のリストデータに選択された場合は、同他方のリストデータの数値データに指定された色で前記点をプロットし、両方のリストデータに選択された場合は、同両方のリストデータの数値データに指定された色が同じ色であればその色で前記点をプロットし、異なる色であれば特殊態様で前記点をプロットすることを特徴としている。
【０００９】
請求項３に記載のグラフ表示装置は、前記請求項１または請求項２に記載のグラフ表示装置において、前記グラフ表示手段によって表示されたプロットグラフの色を変更する第１の色変更手段と、この第１の色変更手段によって変更された色を、前記基準選択手段により表示色の基準が一方のリストデータに選択されている場合は、前記リスト記憶手段により記憶された当該プロットグラフに対応した一方のリストデータに反映させ、他方のリストデータに選択されている場合は、同他方のリストデータに反映させ、両方のリストデータに選択されている場合は、同両方のリストデータに反映させて、各数値データに指定された色を同様に変更する第２の色変更手段と、を備えたことを特徴としている。
【００１０】
請求項４に記載のグラフ表示装置は、前記請求項３に記載のグラフ表示装置において、前記第１の色変更手段によって前記プロットグラフの各プロット点の色が変更された場合に、前記第２の色変更手段によって前記リストデータの中の該当する数値データの色も同様に変更されることを特徴としている。
【００１１】
請求項５に記載のグラフ表示装置は、前記請求項２に記載のグラフ表示装置において、前記特殊態様のプロッ点は、枠状プロット点であることを特徴としている。
【００１２】
請求項６に記載のプログラムは、カラー表示可能な表示部を有する電子機器のコンピュータを制御するためのプログラムであって、前記コンピュータを、ユーザ操作によって複数の数値データからなるリストデータを入力し、そのリストデータの各数値データに任意の色を指定するリスト入力手段、このリスト入力手段によって入力されたリストデータを前記各数値データに指定された色の情報と関連付けてメモリに記憶するリスト記憶手段、このリスト記憶手段により記憶されたリストデータを前記各数値データに指定された色の情報に従い当該各数値データに色を付けて前記表示部にカラー表示させるリスト表示手段、前記リスト記憶手段により記憶された２組のリストデータに基づいて、一方のリストデータの数値データをＸ値、他方のリストデータの数値データをＹ値とした点をプロットしたプロットグラフを生成する際に、表示色の基準をユーザ操作に応じて一方のリストデータまたは他方のリストデータまたは両方のリストデータに選択する基準選択手段、この基準選択手段により選択されたリストデータの数値データに指定された色に基づいて前記点をプロットしてプロットグラフを生成するグラフ生成手段、このグラフ生成手段により生成されたプロットグラフの各点を前記表示部にカラー表示させるグラフ表示手段、として機能させることを特徴としている。
【発明の効果】
【００１３】
本発明によれば、リストデータの各数値データに基づいてプロットグラフを描画した場合に、そのプロットグラフの元となっているリストデータの各数値データとの相互関係を視覚的に容易に把握することが可能になるグラフ表示装置およびプログラムを提供できる。
【図面の簡単な説明】
【００１４】
【図１】本発明のグラフ表示装置の実施形態に係る電子計算機１０の外観構成を示す正面図。
【図２】前記電子計算機１０の回路構成を示すブロック図。
【図３】前記電子計算機１０に設けられたＲＡＭ１５のリストデータ記憶領域１５ｃに記憶されるリストデータの構成を示す図。
【図４】前記電子計算機１０に備えられたＣＰＵ１１がグラフ表示制御プログラム１４ａを実行することにより果たす機能構成を示すブロック図。
【図５】前記電子計算機１０に備えられたＣＰＵ１１によって実行される統計計算モード時のグラフ表示処理の全体の流れを示すフローチャート。
【図６】前記電子計算機１０における統計計算モード時のグラフ表示処理に伴うプロットグラフ生成処理を示すフローチャート。
【図７】前記電子計算機１０における統計計算モード時のグラフ表示処理に伴うリスト入力画面２１の一例を示す図。
【図８】前記電子計算機１０の統計計算モード時のグラフ表示処理に伴い「Ｓｃａｔｔｅｒ」が選択され表示色の基準を“Ｘ”グラフに選択したときのプロットグラフ３２Ｘの表示画面３１を示す図。
【図９】前記電子計算機１０の統計計算モード時のグラフ表示処理に伴い「Ｓｃａｔｔｅｒ」が選択され表示色の基準を“Ｙ”グラフに選択したときのプロットグラフ３２Ｙの表示画面３１を示す図。
【図１０】前記電子計算機１０のプロットグラフ生成処理に伴い基準選択メニュー２４の“Ｘ＆Ｙ”が選択され各数値データの指定色が異なった場合に描画される特殊態様のプロット点３３Ａ，３３Ｂを示す図。
【図１１】前記電子計算機１０の統計計算モード時のグラフ表示処理に伴い「Ｔｒａｃｅ」キー１２ｇにより部分的な色変更を行う場合のプロットグラフ３２Ｘの表示画面３１を示す図。
【発明を実施するための形態】
【００１５】
以下図面により本発明の実施の形態について説明する。
【００１６】
図１は、本発明のグラフ表示装置の実施形態に係る電子計算機１０の外観構成を示す正面図である。
【００１７】
この電子計算機１０は、「グラフ関数電卓」と呼ばれ、入力された関数式や統計データに対応するグラフを描画表示するための機能を備えている。
【００１８】
この電子計算機１０の本体には、本体正面の下端から３分の２程度の範囲でキー入力部１２が設けられ、上端から３分の１程度の範囲で表示部１３が設けられる。
【００１９】
キー入力部１２には、数値・記号キー１２ａ、関数・演算子キー１２ｂ、「Ｍｅｎｕ」キー１２ｃ、「Ｓｈｉｆｔ」キー１２ｄ、「Ｃｏｌｏｒ」キー１２ｅ、「Ｇｒａｐｈ」キー１２ｆ、「Ｔｒａｃｅ」キー１２ｇ、「ＥＸＩＴ」キー１２ｈ、カーソルキー１２ｉ、そしてファンクションキー「Ｆ１」〜「Ｆ６」等が備えられる。
【００２０】
数値・記号キー１２ａは、数字，記号などの個々のキーを配列した数値・記号の入力用キー群からなる。
【００２１】
関数・演算子キー１２ｂは、演算式や関数式を入力する際に操作される各種の関数記号キーや、「＋」「−」「×」「÷」「＝」などの演算子キーからなる。
【００２２】
「Ｍｅｎｕ」キー１２ｃは、四則計算式や関数計算式等の任意の計算式を入力して演算処理を行わせる演算モード、入力された関数式に対応したグラフの描画処理を行わせるグラフモード、統計計算を行わせる統計計算モード、グラフ関数の学習処理を行わせるe-Activityモード、任意のプログラムを入力して対応する計算処理を行わせるプログラムモード等、各種の動作モードの選択設定メニューを表示させる際に操作される。
【００２３】
「Ｓｈｉｆｔ」キー１２ｄは、キー入力部１２における各キートップの左上に記述された各種の記号や機能を指定入力する際に該当するキーと合わせて操作される。
【００２４】
「Ｃｏｌｏｒ」キー１２ｅは、入力データやグラフなどに対して任意の色を指定する際に操作される。
【００２５】
「Ｇｒａｐｈ」キー１２ｆは、入力データを元にして任意のグラフを描く際に操作される。
【００２６】
「Ｔｒａｃｅ」キー１２ｇは、画面上に表示された関数式のグラフをトレースするトレースモードを設定する際に操作される。
【００２７】
「ＥＸＩＴ」キー１２ｈは、現在の状態から抜けるためのキーである。
【００２８】
カーソルキー（「↑」「↓」「←」「→」）１２ｉは、それぞれ表示されたデータの選択，送り操作や、カーソルの移動操作を行なう際等に操作される。
【００２９】
ファンクションキー「Ｆ１」〜「Ｆ６」は、種々の動作モードに応じて表示部１３の画面下端に沿って配列表示される各種選択メニューを選択させる際に操作される。
【００３０】
また、表示部１３には、例えば縦１８６ドット×横３７８ドットの表示範囲を有するカラー表示可能な液晶表示装置が用いられている。
【００３１】
図２は、前記電子計算機１０の回路構成を示すブロック図である。
【００３２】
電子計算機１０は、マイクロコンピュータであるＣＰＵ１１を備えている。
【００３３】
ＣＰＵ１１は、プログラムの起動により回路各部を動作させて、電卓機能や関数グラフ表示機能など、電子計算機１０に備えられた各種機能を実行する。このＣＰＵ１１には、図１に示したキー入力部１２、表示部１３の他に、記憶装置１４、ＲＡＭ１５、記録媒体読取部１６、通信制御部１８などが接続されている。
【００３４】
記憶装置１４は、ＲＯＭなどのメモリデバイスから構成され、本発明を実現するためのグラフ表示制御プログラム１４ａの他、各種データ及びプログラムを記憶している。
【００３５】
ＲＡＭ１５は、ＣＰＵ１１の処理動作に必要な各種データを記憶している。このＲＡＭ１５には、表示部１３の画面上にカラー表示されるデータが展開される表示データ記憶領域１５ａの他、式データ記憶領域１５ｂ、リストデータ記憶領域１５ｃ、グラフデータ記憶領域１５ｄが設けられている。
【００３６】
式データ記憶領域１５ｂには、キー入力部１２の操作により入力された関数式に関するデータが記憶される。
【００３７】
リストデータ記憶領域１５ｃには、統計計算モードのリスト機能で作成されたリストデータが色指定の属性情報と共に記憶される（図３参照）。
【００３８】
グラフデータ記憶領域１５ｄには、関数式データあるいはリストデータに基づいて作成されたグラフに関するデータが記憶される。
【００３９】
記録媒体読取部１６は、記録媒体１７に記録されたデータの読み取りを行う。記録媒体１７としては、例えばメモリカードなどが用いられ、プログラムや画像などが記録されている。
【００４０】
通信制御部１８は、図示せぬＵＳＢ（Universal Serial Bus）を介して接続された外部端末との間のデータ通信、あるいは所定の通信回線を介して無線により接続される外部端末との間のデータ通信を行う。
【００４１】
図３は、前記電子計算機１０に設けられたＲＡＭ１５のリストデータ記憶領域１５ｃに記憶されるリストデータの構成を示す図である。
【００４２】
リストデータは、「統計データ」あるいは「数表データ」とも言い、後述するリスト入力画面２１（図７参照）に設けられたリスト（表）２２の各セルに入力された数値データを有する。これらの数値データには、予め用意された複数色の中の任意の色を表示色として指定でき、その指定された色が属性情報として数値データに対応付けられて、ＲＡＭ１５のリストデータ記憶領域１５ｃに記憶される。
【００４３】
図３の例では、「リスト１」と「リスト２」の２組のリストデータが示されている。図中のセル１，２，３，…，１０の各数値データは、例えば「リスト１」と「リスト２」とが関係した何らかの統計のために入力された任意の数値データを示す。
【００４４】
「リスト１」と「リスト２」ともに、セル１，２，３，５，６，９，１０の各数値データは同色の「黒色」に指定されている。
【００４５】
また、セル４の数値データは、「リスト１」側が「青色」、「リスト２」側が「赤色」の異なる色に指定されている。同様に、セル７の数値データは、「リスト１」側が「赤色」、「リスト２」側が「青色」の異なる色に指定されている。さらに、セル８の数値データは、「リスト１」側が「黒色」、「リスト２」側が「赤色」の異なる色に指定されている。
【００４６】
図４は、前記電子計算機１０に備えられたＣＰＵ１１がグラフ表示制御プログラム１４ａを実行することにより果たす機能構成を示すブロック図である。
【００４７】
ＣＰＵ１１は、グラフ表示においては、リスト入力制御部１１ａ、リスト記憶制御部１１ｂ、グラフ生成制御部１１ｃ、グラフ表示制御部１１ｄ、第１の色変更制御部１１ｅ、第２の色変更制御部１１ｆとして機能する。
【００４８】
リスト入力制御部１１ａは、後述するリスト入力画面２１（図７参照）を表示することにより、ユーザ操作によって複数の数値データからなるリストデータを入力し、そのリストデータの各数値データに任意の色を指定するための制御を行う。
【００４９】
リスト記憶制御部１１ｂは、リスト入力制御部１１ａによって入力されたリストデータを前記各数値データに指定された色の情報と関連付けてＲＡＭ１５のリストデータ記憶領域１５ｃに記憶するための制御を行う。
【００５０】
グラフ生成制御部１１ｃは、リスト記憶制御部１１ｂによってＲＡＭ１５のリストデータ記憶領域１５ｃに記憶されたリストデータをグラフ化するための制御を行う。
【００５１】
グラフ表示制御部１１ｄは、グラフ生成制御部１１ｃによって生成されたグラフを前記各数値データに指定された色に基づいて表示部１３の画面にカラー表示するための制御を行う。
【００５２】
第１の色変更制御部１１ｅは、グラフ表示制御部１１ｄによって表示されたグラフの色を変更するための制御を行う。
【００５３】
第２の色変更制御部１１ｆは、第１の色変更制御部１１ｅによって変更された色をＲＡＭ１５のリストデータ記憶領域１５ｃに記憶された当該グラフに対応したリストデータに反映させて、前記各数値データに指定された色を変更するための制御を行う。
【００５４】
ここで、前記グラフ生成制御部１１ｃは、前記リストデータ記憶領域１５ｃに記憶されたリストデータ（図３参照）を、スキャッタプロットグラフ（散布図）としてグラフ化する際、＜リスト１＞の各数値データを“Ｘ”、＜リスト２＞の各数値データを“Ｙ”として各対応するプロット点を描画しグラフ化する。そして、ユーザによって、各プロット点の表示色の基準を“Ｘ”グラフに選択した場合は、＜リスト１＞の各数値データに指定された色でグラフ化し、“Ｙ”グラフに選択した場合は、＜リスト２＞の各数値データに指定された色でグラフ化する。さらに、“Ｘ＆Ｙ”グラフに選択した場合、＜リスト１＞＜リスト２＞の同一セルにおける各数値データの指定色が同色である場合はその色でグラフ化し、異なる色である場合は特殊態様（図１０参照）にしてグラフ化するための制御を行う。
【００５５】
また、前記第２の色変更制御部１１ｆは、前記第１の色変更制御部１１ｅによって変更されたスキャッタプロットグラフ（散布図）の色をＲＡＭ１５のリストデータ記憶領域１５ｃに記憶された当該グラフに対応したリストデータに反映させる際、前記表示色の基準が“Ｘ”グラフに選択されている場合は、＜リスト１＞の各数値データに指定された色を変更し、“Ｙ”グラフに選択されている場合は、＜リスト２＞の各数値データに指定された色を変更する。さらに、“Ｘ＆Ｙ”グラフに選択されている場合は、＜リスト１＞＜リスト２＞の各数値データに指定された色を変更するための制御を行う。
【００５６】
次に、前記構成の電子計算機１０の動作を説明する。
【００５７】
なお、以下の各フローチャートで示される処理は、コンピュータであるＣＰＵ１１が記憶装置１４に記憶されたグラフ表示制御プログラム１４ａを読み込むことにより実行される。
【００５８】
図５は、前記電子計算機１０に備えられたＣＰＵ１１によって実行される統計計算モード時のグラフ表示処理の全体の流れを示すフローチャートである。
【００５９】
図６は、前記電子計算機１０における統計計算モード時のグラフ表示処理に伴うプロットグラフ生成処理を示すフローチャートである。
【００６０】
（データ入力）
図７は、前記電子計算機１０における統計計算モード時のグラフ表示処理に伴うリスト入力画面２１の一例を示す図である。
【００６１】
まず、ユーザが電子計算機１０のキー入力部１２に設けられた「Ｍｅｎｕ」キー１２ｃを操作して統計計算モードを設定すると、ＣＰＵ１１の制御の下で表示部１３に図７に示すようなリスト入力画面２１が表示される（ステップＡ１）。
【００６２】
図７に示すように、リスト入力画面２１には、複数のセルからなるリスト（表）２２が設けられている。ユーザがキー入力部１２の数値・記号キー１２ａを操作して、このリスト２２の各セルに数値データを入力することにより、これらの数値データを含むリストデータ（統計データ）が作成される（ステップＡ２）。
【００６３】
このとき、キー入力部１２に設けられた「Ｃｏｌｏｒ」キー１２ｅを操作すると、リスト入力画面２１の下端に、赤色（Ｒｅｄ）、青色（Ｂｌｕｅ）、緑色（Ｇｒｎ）、黄色（Ｙｌｌｗ）の色選択メニュー２３が表示され、その選択メニュー２３の各色に対応したファンクションキー「Ｆｎ」の操作にて任意の色を数値毎に指定することができる。
【００６４】
ここでは、ファンクションキー「Ｆ２」の操作で赤色、ファンクションキー「Ｆ３」の操作で青色、ファンクションキー「Ｆ４」の操作で緑色、ファンクションキー「Ｆ５」の操作で黄色が指定されるものとする。
【００６５】
図７および図３の例では、Ｌｉｓｔ１の４番目のセルに入力された数値データ「１５６」に対して青色、７番目のセルに入力された数値データ「９６」に対して赤色、また、Ｌｉｓｔ２の４番目のセルに入力された数値データ「６０」に対して赤色、７番目のセルに入力された数値データ「４０」に対して青色、８番目のセルに入力された数値データ「６２」に対して赤色が指定されている。
【００６６】
なお、図７の数値データに引き出し線で説明した指定の色は、図面の制約上、色付けで表現できないために便宜的に付したものであり、実際には同数値データが指定の色でカラー表示される。
【００６７】
このようにして、リストデータの各数値データに対して任意の色が指定されると（ステップＡ３のＹｅｓ）、その指定された色が属性情報として当該数値データに設定されてＲＡＭ１５のリストデータ記憶領域１５ｃに記憶される（ステップＡ４）。
【００６８】
なお、色指定されなかった場合には、その数値データに対しては標準色として黒色がデフォルト設定されるものとする。
【００６９】
（リストデータに基づくグラフ表示）
リストデータの作成後、キー入力部１２に設けられた「Ｇｒａｐｈ」キー１２ｆが操作されると、「Ｓｃａｔｔｅｒ」、「Ｈｉｓｔｇｒａｍ」、「回帰グラフ」といったグラフ種を示すグラフ種選択メニュー（図示せぬ）が画面下端に沿って配列表示され、任意のグラフ種をファンクションキー「Ｆｎ」の操作にて選択できる。
【００７０】
なお、「Ｓｃａｔｔｅｒ」とは、Ｘ値とＹ値で特定される座標点をＸＹ座標上にプロットしていくことを言い、そのプロットされた点で描かれるグラフのことを「プロットグラフ」または「散布図」と呼ぶ。
【００７１】
ここで、「Ｓｃａｔｔｅｒ」の場合には、ユーザは、２組のリストデータをＸ値とＹ値として指定し、プロットグラフ（散布図）の描画を指示するといった操作を行う。
【００７２】
図８は、前記電子計算機１０の統計計算モード時のグラフ表示処理に伴い「Ｓｃａｔｔｅｒ」が選択され表示色の基準を“Ｘ”グラフに選択したときのプロットグラフ３２Ｘの表示画面３１を示す図である。
【００７３】
図９は、前記電子計算機１０の統計計算モード時のグラフ表示処理に伴い「Ｓｃａｔｔｅｒ」が選択され表示色の基準を“Ｙ”グラフに選択したときのプロットグラフ３２Ｙの表示画面３１を示す図である。
【００７４】
プロットグラフ（散布図）の描画を指示する操作がなされると（ステップＡ５のＹｅｓ）、グラフ表示画面３１の下端に、ユーザによって各プロット点の表示色の基準を“Ｘ”または“Ｙ”または“Ｘ＆Ｙ”に選択するための基準選択メニュー２４が表示される（ステップＡ６）。
【００７５】
このグラフ表示画面３１に表示された基準選択メニュー２４においてユーザによる選択操作が行われると（ステップＡ７のＹｅｓ）、図６におけるプロットグラフ生成処理に移行され、プロットグラフが生成される（ステップＡＢ）。
【００７６】
前記基準選択メニュー２４において“Ｘ”が選択されると（ステップＢ１のＹｅｓ）、リストデータ記憶領域１５ｃに記憶されているグラフ化対象のリストデータ＜リスト１＞＜リスト２＞から各セルに対応する１対の数値データが順番に取り込まれる。そして、同１対の数値データに対応する（Ｘ，Ｙ）の点を、“Ｘ”＜リスト１＞の数値データに指定された色で順次プロットしたプロットグラフが生成され、そのプロットグラフのデータがＲＡＭ１５のグラフデータ記憶領域１５ｄに記憶される（ステップＢ２〜Ｂ４）。
【００７７】
すなわち、図８のグラフ表示画面３１に示すように、＜リスト１＞の各数値データを“Ｘ”、＜リスト２＞の各数値データを“Ｙ”とした各プロット点３３ａ〜３３ｊを描画したプロットグラフ３２Ｘが、当該＜リスト１＞の各数値データに指定された色を基準に生成され、具体的には、４番目のセルに対応するところのプロット点（１５６，６０）３３ｄは青色、７番目のセルに対応するところプロット点（９６，４０）３３ｇは赤色、それ以外は黒色で描画される。
【００７８】
一方、前記基準選択メニュー２４において“Ｙ”が選択されると（ステップＢ５のＹｅｓ）、前記同様にリストデータ記憶領域１５ｃに記憶されているグラフ化対象のリストデータ＜リスト１＞＜リスト２＞から各セルに対応する１対の数値データが順番に取り込まれる。そして、同１対の数値データに対応する（Ｘ，Ｙ）の点を、“Ｙ”＜リスト２＞の数値データに指定された色で順次プロットしたプロットグラフが生成され、そのプロットグラフのデータがＲＡＭ１５のグラフデータ記憶領域１５ｄに記憶される（ステップＢ６〜Ｂ８）。
【００７９】
すなわち、図９のグラフ表示画面３１に示すように、＜リスト１＞の各数値データを“Ｘ”、＜リスト２＞の各数値データを“Ｙ”とした各プロット点３３ａ〜３３ｊを描画したプロットグラフ３２Ｙが、当該＜リスト２＞の各数値データに指定された色を基準に生成され、具体的には、４番目のセルに対応するところのプロット点（１５６，６０）３３ｄは赤色、７番目のセルに対応するところプロット点（９６，４０）３３ｇは青色、８番目のセルに対応するところのプロット点（１２２，６２）３３ｈは赤色、それ以外は黒色で描画される。
【００８０】
さらに、前記基準選択メニュー２４において“Ｘ＆Ｙ”が選択されると（ステップＢ９のＹｅｓ）、前記同様にリストデータ記憶領域１５ｃに記憶されているグラフ化対象のリストデータ＜リスト１＞＜リスト２＞から各セルに対応する１対の数値データが順番に取り込まれ（ステップＢ１０）、その都度、同読み出された＜リスト１＞の数値データに指定された色と＜リスト２＞の数値データに指定された色とが同色か否か判断される（ステップＢ１１）。
【００８１】
そして、同色と判断された場合は（ステップＢ１１のＹｅｓ）、同１対の数値データに対応する（Ｘ，Ｙ）の点を、その色で順次プロットしたプロットグラフが生成され、そのプロットグラフのデータがＲＡＭ１５のグラフデータ記憶領域１５ｄに記憶される（ステップＢ１０〜Ｂ１３）。
【００８２】
一方、リストデータからセル毎に読み出された＜リスト１＞の数値データに指定された色と＜リスト２＞の数値データに指定された色とが異なると判断された場合は（ステップＢ１１のＮｏ）、同１対の数値データに対応する（Ｘ，Ｙ）の点を、特殊態様でプロットしたプロットグラフが生成され、そのプロットグラフのデータがＲＡＭ１５のグラフデータ記憶領域１５ｄに記憶される（ステップＢ１０，Ｂ１１（Ｎｏ），Ｂ１４，Ｂ１３）。
【００８３】
具体的には、１〜３番目のセルに対応するところのプロット点３３ａ〜３３ｃ、５，６番目のセルに対応するところのプロット点３３ｅ，３３ｆ、９，１０番目のセルに対応するところのプロット点３３ｉ，３３ｊは黒色、４，７，８番目のセルに対応するところプロット点３３ｄ，３３ｇ，３３ｈは特殊態様で描画される。
【００８４】
図１０は、前記電子計算機１０のプロットグラフ生成処理に伴い基準選択メニュー２４の“Ｘ＆Ｙ”が選択され各数値データの指定色が異なった場合に描画される特殊態様のプロット点３３Ａ，３３Ｂを示す図である。
【００８５】
前記特殊態様のプロット点は、例えば図１０（ａ）に示すように、中心に穴の開いた枠状プロット点３３Ａとしてもよいし、図１０（ｂ）に示すように、異なる２色で半々に色分けした枠状プロット点３３Ｂとしてもよい。
【００８６】
そして、前記一連のプロットグラフ生成処理が終了すると（Ｒｅｔｕｒｎ）、前記グラフデータ記憶領域１５ｄに記憶されたプロットグラフが表示データ記憶領域１５ａに展開され、図８または図９に示すようなグラフ表示画面３１として表示部１３の画面上にカラー表示される（ステップＡ８）。
【００８７】
（グラフ表示後の色変更）
・全部変更
ここで、グラフの表示後に、ユーザによりキー入力部１２に設けられた「Ｃｏｌｏｒ」キー１２ｅが操作されると（ステップＡ９のＹｅｓ）、そのグラフ表示画面３１に赤色（Ｒｅｄ）、青色（Ｂｌｕｅ）、緑色（Ｇｒｎ）、黄色（Ｙｌｌｗ）の色選択ウインドウ（図示せず）が表示される。
【００８８】
この色選択ウインドウの中の１色がカーソルキー１２ｉの操作にて指定されると（ステップＡ１０のＹｅｓ）、グラフ全体の色がその指定色に変更される（ステップＡ１１）。また、それに伴い、ＲＡＭ１５のリストデータ記憶領域１５ｃに記憶されたリストデータの各数値データに指定された色も同様に変更される（ステップＡ１２）。
【００８９】
この際、前記プロットグラフ生成処理（図６参照）において、基準選択メニュー２４の“Ｘ”が選択されていた場合は、＜リスト１＞の各数値データに指定された色の全てが前記色選択ウインドウでの指定色に変更され、同基準選択メニュー２４の“Ｙ”が選択されていた場合は、＜リスト２＞の各数値データに指定された色の全てが前記色選択ウインドウでの指定色に変更される。さらに、同基準選択メニュー２４の“Ｘ＆Ｙ”が選択されていた場合は、＜リスト１＞＜リスト２＞の各数値データに指定された色の全てが前記色選択ウインドウでの指定色に変更される。
【００９０】
例えば、図８で示したように、表示色の基準を“Ｘ”グラフに選択したときのプロットグラフ３２Ｘが表示されている状態で、「Ｃｏｌｏｒ」キー１２ｅが操作されると、図示しない色選択ウインドウが表示され、その色選択ウインドウ中の青色（Ｂｌｕｅ）がカーソルキー１２ｉの操作にて指定されたとすると、プロットグラフ３２Ｘを構成する全てのプロット点３３ａ〜３３ｊが青色に変更される。
【００９１】
そして、前記表示色の基準“Ｘ”に対応したリストデータ＜リスト１＞の各数値データに指定された色が全て青色に変更される。
【００９２】
また、例えば、図９で示したように、表示色の基準を“Ｙ”グラフに選択したときのプロットグラフ３２Ｙが表示されている状態で、「Ｃｏｌｏｒ」キー１２ｅが操作されると、図示しない色選択ウインドウが表示され、その色選択ウインドウ中の赤色（Ｒｅｄ）がカーソルキー１２ｉの操作にて指定されたとすると、プロットグラフ３２Ｙを構成する全てのプロット点３３ａ〜３３ｊが赤色に変更される。
【００９３】
そして、前記表示色の基準“Ｙ”に対応したリストデータ＜リスト２＞の各数値データに指定された色が全て赤色に変更される。
【００９４】
「回帰グラフ」に対応したグラフでも同様であり、同グラフの色が色選択ウインドウの中で指定された色に変更され、その色変更が基準選択メニュー２４で表示色の基準として選択したリストデータの全数値データに反映され、同様に色変更されることになる。
【００９５】
・部分変更
一方、「Ｃｏｌｏｒ」キー１２ｅの操作後（ステップＡ９のＹｅｓ）、ファンクションキー「Ｆｎ」ではなく、「Ｔｒａｃｅ」キー１２ｇが操作された場合には（ステップＡ１３）、グラフ表示画面３１に赤色（Ｒｅｄ）、青色（Ｂｌｕｅ）、緑色（Ｇｒｎ）、黄色（Ｙｌｌｗ）の色選択ウインドウ（図示せず）が表示され、以下のような手順で部分的な色変更が行われる。
【００９６】
なお、この電子計算機１０にはタッチパネルが備えられていないため、「Ｔｒａｃｅ」キー１２ｇの操作によってトレースモードに切り替えた際に、カーソルキー１２ｉの操作によって表示中のオブジェクト（つまり、グラフ上の点など）を１つずつ指定するといった操作を行うものとする。
【００９７】
図１１は、前記電子計算機１０の統計計算モード時のグラフ表示処理に伴い「Ｔｒａｃｅ」キー１２ｇにより部分的な色変更を行う場合のプロットグラフ３２Ｘの表示画面３１を示す図である。
【００９８】
ここで、「Ｔｒａｃｅ」キー１２ｇが操作された際に（ステップＡ１３のＹｅｓ）、現在表示中のグラフ種がプロットグラフであれば、例えば図１１に示すように、カーソルキー１２ｉの操作によって選択されたプロットグラフ３２Ｘ上のプロット点３３ｇが色変更の対象として抽出され、点滅などにより識別表示される（ステップＡ１４）。
【００９９】
そして、前記カーソルキー１２ｉの操作によって選択されたプロット点３３ｇに対応する数値データ［Ｘ＝９６］［Ｙ＝４０］がリストデータ記憶領域１５ｃに記憶されているリストデータ＜リスト１＞＜リスト２＞（図３参照）から読み出され、当該各数値データに指定されている色の赤色と青色で表示される（ステップＡ１５）。
【０１００】
この後、前記色選択ウインドウ（図示せず）の中の１色がカーソルキー１２ｉの操作にて指定された際に（ステップＡ１６のＹｅｓ）、前記抽出されたプロット点３３ｇの色がその指定色に変更され（ステップＡ１７）、それに伴い、ＲＡＭ１５のリストデータ記憶領域１５ｃに記憶されたリストデータの各数値データの中の対応するデータの色も変更される（ステップＡ１８）。
【０１０１】
この際、前記プロットグラフ生成処理（図６参照）において、基準選択メニュー２４の“Ｘ”が選択されていた場合は、前記選択されたプロット点に対応する＜リスト１＞の数値データに指定された色だけが前記色選択ウインドウでの指定色に変更され、同基準選択メニュー２４の“Ｙ”が選択されていた場合は、同選択されたプロット点に対応する＜リスト２＞の数値データに指定された色だけが前記色選択ウインドウでの指定色に変更される。さらに、同基準選択メニュー２４の“Ｘ＆Ｙ”が選択されていた場合は、同選択されたプロット点に対応する＜リスト１＞＜リスト２＞の各数値データに指定された色が前記色選択ウインドウでの指定色に変更される。
【０１０２】
すなわち、前記図１１で示した表示色の基準を“Ｘ”＜リスト１＞に選択したプロットグラフ３２Ｘのグラフ表示画面３１において、現在は赤色で表示されているプロット点３３ｇが色変更対象（オプジェクト）として選択され、前記色選択ウインドウの中の青色（Ｂｌｕｅ）が指定されたとすると（ステップＡ１６のＹｅｓ）、そのプロット点３３ｇが赤色から青色に変更される（ステップＡ１７）。
【０１０３】
そして、同プロットグラフ３２Ｘのプロット点３３ｇに対応したリストデータ＜リスト１＞＜リスト２＞の各数値データ［Ｘ＝９６］［Ｙ＝４０］のうち、基準選択された“Ｘ”＜リスト１＞の数値データ［Ｘ＝９６］に指定された色だけが赤色から青色に変更される（ステップＡ１８）。
【０１０４】
以後同様にして、カーソルキー１２ｉの操作によりオブジェクト（プロット点）を１つ１つ指定しながら、その指定されたオブジェクトの色を部分的に変更することができる。
【０１０５】
そして、同指定されたオブジェクト（プロット点）に対応したリストデータの色も、基準選択された“Ｘ”＜リスト１＞、または“Ｙ”＜リスト２＞、または“Ｘ＆Ｙ”＜リスト１＞＜リスト２＞を対象に変更することができる。
【０１０６】
一方、前記基準選択メニュー２４にて選択された表示色の基準に従ったプロットグラフの表示画面３１において、同表示画面３１の下端に常時表示されている同基準選択メニュー２４にて他の基準が選択されると（ステップＡ１９のＹｅｓ）、当該選択された他の基準に従い前記図６におけるプロットグラフ生成処理が再実行される（ステップＡＢ）。
【０１０７】
そして、キー入力部１２に設けられた「ＥＸＩＴ」キー１２ｈが操作されると（ステップＡ２０のＹｅｓ）、グラフ表示状態から抜け、ＲＡＭ１５のリストデータ記憶領域１５ｃから当該グラフに対応したリストデータが読み出されて画面上に表示される（ステップＡ２１）。このとき、グラフに色変更があった場合には、表示されたリストデータの色も変化している。
【０１０８】
したがって、前記構成の電子計算機１０における統計計算モード時のグラフ表示機能によれば、ユーザがリストデータを入力した際に、そのリストデータの各数値データに任意の色を指定しておくことにより、その指定された色に従ったスキャッタプロットグラフがカラー表示される。この際、基準選択メニュー２４で“Ｘ”が選択された場合は＜リスト１＞の各数値データに指定された色を基準に各プロット点がカラー表示され、“Ｙ”が選択された場合は＜リスト２＞の各数値データに指定された色を基準に各プロット点がカラー表示される。さらに、“Ｘ＆Ｙ”が選択された場合に＜リスト１＞＜リスト２＞の各対応する数値データに指定された色が同色であるところのプロット点はその色でカラー表示され、異なる色であるところのプロット点は枠状プロット点（３３Ａや３３Ｂ）などの特殊態様にしてカラー表示される。このため、リストデータとスキャッタプロットグラフとの相互関係を色や表示態様にて視覚的に把握できるようになり、リストデータを元に描画されるプロットグラフの特性を容易に理解することができるようになる。
【０１０９】
さらに、ユーザが表示中のスキャッタプロットグラフに対して色変更を全体的あるいは部分的に行うと、その色変更が前記基準選択されたリストデータ（＜リスト１＞または＜リスト２＞または＜リスト１＞＜リスト２＞）の各数値データに反映されるので、表示中のスキャッタプロットグラフとリストデータの各数値データとの相互関係を色変化にて容易に学ぶことができる。
【０１１０】
なお、前記各実施形態では、リストデータの各数値データに対して指定可能な色として、赤色（Ｒｅｄ）、青色（Ｂｌｕｅ）、緑色（Ｇｒｎ）、黄色（Ｙｌｌｗ）の５色を例にして説明したが、これらの色以外の色を指定できようにしても良いし、５色以上の色を指定できるような構成であってもよい。
【０１１１】
前記各実施形態において記載した電子計算機１０による各動作手法、すなわち、図５、図６の各フローチャートで示した手法は、コンピュータに実行させることのできるプログラムとして、メモリカード（ＲＯＭカード、ＲＡＭカード等）、磁気ディスク（フレシキプルディスク、ハードディスク等）、光ディスク（ＣＤ−ＲＯＭ、ＤＶＤ等）、半導体メモリ等の記憶媒体（記録媒体１７）に記録して配布することができる。そして、電子計算機１０のコンピュータ（ＣＰＵ１１）は、この記憶媒体に記録されたプログラムを読み込みことで、前述した手法による同様の処理を実行することができる。
【０１１２】
また、前記手法を実現するためのプログラムのデータは、プログラムコードの形態として通信ネットワーク（公衆回線）を介して伝送させることができる。そして、電子計算機１０のコンピュータ（ＣＰＵ１１）は、このプログラムを通信ネットワークに接続された通信装置（通信制御部１８）にて受信することにより、前述した手法による同様の処理を実行することができる。
【０１１３】
なお、本発明は前記各実施形態そのままに限定されるものではなく、実施段階ではその要旨を逸脱しない範囲で構成要素を変形して具体化できる。また、前記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１１４】
１０  …電子計算機（グラフ関数電卓）
１１  …ＣＰＵ
１１ａ…リスト入力制御部
１１ｂ…リスト記憶制御部
１１ｃ…グラフ生成制御部
１１ｄ…グラフ表示制御部
１１ｅ…第１の色変更制御部
１１ｆ…第２の色変更制御部
１２  …キー入力部
１２ａ…数値・記号キー
１２ｂ…関数・演算子キー
１２ｃ…「Ｍｅｎｕ」キー
１２ｄ…「Ｓｈｉｆｔ」キー
１２ｅ…「Ｃｏｌｏｒ」キー
１２ｆ…「Ｇｒａｐｈ」キー
１２ｇ…「Ｔｒａｃｅ」キー
１２ｈ…「ＥＸＩＴ」キー
１２ｉ…カーソルキー
Ｆ１〜Ｆ６…ファンクションキー
１３  …表示部
１４  …メモリ
１４ａ…グラフ表示制御プログラム
１５  …ＲＡＭ
１５ａ…表示データ記憶領域
１５ｂ…式データ記憶領域
１５ｃ…リストデータ記憶領域
１５ｄ…グラフデータ記憶領域
１６  …記録媒体読取部
１７  …記録媒体
１８  …通信制御部
２１  …リスト入力画面
２２  …リスト（表）
２３  …色選択メニュー
２４  …基準選択メニュー
３１  …グラフ表示画面
３２Ｘ…プロットグラフ（Ｘ基準）
３２Ｙ…プロットグラフ（Ｙ基準）
３３ａ〜３３Ｊ…プロット点
３３Ａ，３３Ｂ…枠状プロット点（特殊態様）
【図１】
2011248779.tif 000003
【図２】
2011248779.tif 000004
【図３】
2011248779.tif 000005
【図４】
2011248779.tif 000006
【図５】
2011248779.tif 000007
【図６】
2011248779.tif 000008
【図７】
2011248779.tif 000009
【図８】
2011248779.tif 000010
【図９】
2011248779.tif 000011
【図１０】
2011248779.tif 000012
【図１１】
2011248779.tif 000013
【手続補正書】
【提出日】平成23年9月20日(2011.9.20)
【手続補正１】
【補正対象書類名】明細書
【補正対象項目名】０００７
【補正方法】変更
【補正の内容】
【０００７】
本発明に係るグラフ表示装置は、ユーザ操作によって複数の数値データからなるリストデータを入力し、そのリストデータの各数値データに任意の色を指定するリスト入力手段と、このリスト入力手段によって入力されたリストデータを前記各数値データに指定された色の情報と関連付けて記憶するリスト記憶手段と、このリスト記憶手段により記憶されたリストデータを前記各数値データに指定された色の情報に従い当該各数値データに色を付けてカラー表示するリスト表示手段と、前記リスト記憶手段により記憶された２組のリストデータに基づいて、一方のリストデータの数値データをＸ値、他方のリストデータの数値データをＹ値とした点をプロットしたプロットグラフを生成する際のプロット点の表示色を、ユーザ操作に応じてＸ値、Ｙ値またはＸ値とＹ値の両方の何れを基準とするかを選択する基準選択手段と、前記基準選択手段により表示色の基準としてＸ値が選択された場合は、Ｘ値に対応するリストデータの数値データに指定された色で前記点をプロットし、Ｙ値が選択された場合は、Ｙ値に対応するリストデータの数値データに指定された色で前記点をプロットし、Ｘ値とＹ値の両方が選択された場合は、両方のリストデータの数値データに指定された色が同じ色であればその色で前記点をプロットし、異なる色であれば特殊態様で前記点をプロットしてプロットグラフを生成するグラフ生成手段と、このグラフ生成手段により生成されたプロットグラフの各点をカラー表示するグラフ表示手段と、を備えたことを特徴としている。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
本発明に係るプログラムは、カラー表示可能な表示部を有する電子機器のコンピュータを制御するためのプログラムであって、前記コンピュータを、ユーザ操作によって複数の数値データからなるリストデータを入力し、そのリストデータの各数値データに任意の色を指定するリスト入力手段、このリスト入力手段によって入力されたリストデータを前記各数値データに指定された色の情報と関連付けて記憶するリスト記憶手段、このリスト記憶手段により記憶されたリストデータを前記各数値データに指定された色の情報に従い当該各数値データに色を付けてカラー表示するリスト表示手段、前記リスト記憶手段により記憶された２組のリストデータに基づいて、一方のリストデータの数値データをＸ値、他方のリストデータの数値データをＹ値とした点をプロットしたプロットグラフを生成する際のプロット点の表示色を、ユーザ操作に応じてＸ値、Ｙ値またはＸ値とＹ値の両方の何れを基準とするかを選択する基準選択手段、前記基準選択手段により表示色の基準としてＸ値が選択された場合は、Ｘ値に対応するリストデータの数値データに指定された色で前記点をプロットし、Ｙ値が選択された場合は、Ｙ値に対応するリストデータの数値データに指定された色で前記点をプロットし、Ｘ値とＹ値の両方が選択された場合は、両方のリストデータの数値データに指定された色が同じ色であればその色で前記点をプロットし、異なる色であれば特殊態様で前記点をプロットしてプロットグラフを生成するグラフ生成手段、このグラフ生成手段により生成されたプロットグラフの各点をカラー表示するグラフ表示手段、として機能させることを特徴としている。
【手続補正７】
【補正対象書類名】特許請求の範囲
【補正対象項目名】全文
【補正方法】変更
【補正の内容】
【特許請求の範囲】
【請求項１】
ユーザ操作によって複数の数値データからなるリストデータを入力し、そのリストデータの各数値データに任意の色を指定するリスト入力手段と、
このリスト入力手段によって入力されたリストデータを前記各数値データに指定された色の情報と関連付けて記憶するリスト記憶手段と、
このリスト記憶手段により記憶されたリストデータを前記各数値データに指定された色の情報に従い当該各数値データに色を付けてカラー表示するリスト表示手段と、
前記リスト記憶手段により記憶された２組のリストデータに基づいて、一方のリストデータの数値データをＸ値、他方のリストデータの数値データをＹ値とした点をプロットしたプロットグラフを生成する際のプロット点の表示色を、ユーザ操作に応じてＸ値、Ｙ値またはＸ値とＹ値の両方の何れを基準とするかを選択する基準選択手段と、
前記基準選択手段により表示色の基準としてＸ値が選択された場合は、Ｘ値に対応するリストデータの数値データに指定された色で前記点をプロットし、Ｙ値が選択された場合は、Ｙ値に対応するリストデータの数値データに指定された色で前記点をプロットし、Ｘ値とＹ値の両方が選択された場合は、両方のリストデータの数値データに指定された色が同じ色であればその色で前記点をプロットし、異なる色であれば特殊態様で前記点をプロットしてプロットグラフを生成するグラフ生成手段と、
このグラフ生成手段により生成されたプロットグラフの各点をカラー表示するグラフ表示手段と、
を備えたことを特徴とするグラフ表示装置。
【請求項２】
前記グラフ表示手段によって表示されたプロットグラフの色を変更する第１の色変更手段と、
この第１の色変更手段によって変更された色を、前記基準選択手段により表示色の基準が一方のリストデータに選択されている場合は、前記リスト記憶手段により記憶された当該プロットグラフに対応した一方のリストデータに反映させ、他方のリストデータに選択されている場合は、同他方のリストデータに反映させ、両方のリストデータに選択されている場合は、同両方のリストデータに反映させて、各数値データに指定された色を同様に変更する第２の色変更手段と、
を備えたことを特徴とする請求項１に記載のグラフ表示装置。
【請求項３】
前記第１の色変更手段によって前記プロットグラフの各プロット点の色が変更された場合に、前記第２の色変更手段によって前記リストデータの中の該当する数値データの色も同様に変更されることを特徴とする請求項２に記載のグラフ表示装置。
【請求項４】
前記特殊態様のプロット点は、他のプロット点と形状が異なることを特徴とする請求項２に記載のグラフ表示装置。
【請求項５】
前記グラフ表示手段により表示されたプロットグラフの中からユーザにより選択されたプロット点のＸ値とＹ値を、前記リスト記憶手段に記憶されたそれぞれの値に関連付けられた色で表示する値表示手段を備えたことを特徴とする請求項１から４のうち１項に記載されたグラフ表示装置。
【請求項６】
カラー表示可能な表示部を有する電子機器のコンピュータを制御するためのプログラムであって、
前記コンピュータを、
ユーザ操作によって複数の数値データからなるリストデータを入力し、そのリストデータの各数値データに任意の色を指定するリスト入力手段、
このリスト入力手段によって入力されたリストデータを前記各数値データに指定された色の情報と関連付けて記憶するリスト記憶手段、
このリスト記憶手段により記憶されたリストデータを前記各数値データに指定された色の情報に従い当該各数値データに色を付けてカラー表示するリスト表示手段、
前記リスト記憶手段により記憶された２組のリストデータに基づいて、一方のリストデータの数値データをＸ値、他方のリストデータの数値データをＹ値とした点をプロットしたプロットグラフを生成する際のプロット点の表示色を、ユーザ操作に応じてＸ値、Ｙ値またはＸ値とＹ値の両方の何れを基準とするかを選択する基準選択手段、
前記基準選択手段により表示色の基準としてＸ値が選択された場合は、Ｘ値に対応するリストデータの数値データに指定された色で前記点をプロットし、Ｙ値が選択された場合は、Ｙ値に対応するリストデータの数値データに指定された色で前記点をプロットし、Ｘ値とＹ値の両方が選択された場合は、両方のリストデータの数値データに指定された色が同じ色であればその色で前記点をプロットし、異なる色であれば特殊態様で前記点をプロットしてプロットグラフを生成するグラフ生成手段、
このグラフ生成手段により生成されたプロットグラフの各点をカラー表示するグラフ表示手段、
として機能させるためのプログラム。